(57)【特許請求の範囲】
【請求項１】
筺体内部を仕切板で送風機室と機械室に区切り、前記送風機室には背面側に上下に２段積みした上熱交換器と下熱交換器からなる熱交換器と、前面側に送風ファンと、同送風ファンを駆動するモータと、同モータを保持するモータ支持体とを備えた空気調和機の室外機において、
前記モータ支持体は、前記モータを取り付けるモータ取付台と、前記モータ取付台の上端を前記熱交換器の上端に固定する上部支持具と、前記モータ取付台の下端を前記筺体の底板に固定する下部支持具からなり、
前記モータ取付台は、モータ取付口と複数の通風用の開口部を備えたモータ取付面と、前記モータ取付面の周囲を前記熱交換器側に折り曲げたフランジ部からなり、
前記開口部の１つの縁部に、前記上熱交換器側に突出した熱交換器支持部を備え、同熱交換器支持部は、先端が下方へ折れ曲り前記上熱交換器と前記下熱交換器の当接部を背面側に押圧する押圧部を備え、
前記押圧部は、縦に分割され、一部が水平状に折り曲げられて、前記当接部の間に差し込まれることを特徴とする空気調和機の室外機。
【請求項２】
前記モータ取付台は鋼板でなり、前記開口部の一部をＹ字状の筋交いに残して成形し、前記熱交換器支持部は、Ｙ字状の上にあたる前記開口部の上端縁部に設けたことを特徴とする請求項１に記載の空気調和機の室外機。
【発明の詳細な説明】
【技術分野】
【０００１】
本発明は、空気調和機の室外機に係わり、より詳細には、モータ取付台の構造に関する。
【背景技術】
【０００２】
１台の室外機に対して複数台の室内機が備えられ室外機と室内機とが冷媒配管で接続された多室型の空気調和機が知られている。室外機内部は、室外機の筐体の一部を構成する底板に取り付けられた仕切板によって、圧縮機やアキュムレータ等が備えられた機械室と熱交換器や送風ファン等が設置された送風機室とに区画されている。
そして、図１０に示すように送風機室１００の熱交換器１０１は底板１０５上に上下２段に載置され、上下に２個配置された送風ファン１０２はモータ１０３に軸支され、モータ１０３はモータ取付台１０４の上下２箇所に設けたモータ取付口１０４ａに取り付けられる。モータ取付台１０４は上部保持部１０４ｂを熱交換器１０１の上端に架設して固定し、下部保持部１０４ｃを底板１０５にネジ止めして固定することで支えられている。（特許文献１参照）。
【先行技術文献】
【特許文献】
【０００３】
【特許文献１】特開平０３−１７７７２６号公報（第１図）
【発明の概要】
【発明が解決しようとする課題】
【０００４】
上述した２段積みの熱交換器は、密接して配置されたアルミ材による薄板のフィンの間を複数の伝熱管が通り、熱交換器の左右端を側板にネジ固定することで底板に支えられているので、２段積みでも安定するが、移送時などに不測の外力が加わることで重ね合わせた熱交換器に位置ずれが生じてしまう虞があった。
また、モータを支えるモータ取付台も、熱交換器が大きくなることに伴って長尺となり、モータによる振動や揺れが大きくなるため、より強度を補強する必要があった。
【０００５】
本発明は以上述べた問題点を解決し、熱交換器が２段積みである空気調和機の室外機において、重ね合わせた熱交換器の位置ずれを防ぎ、かつ、筺体の強度を補強する空気調和機の室外機を提供することを目的とする。
【課題を解決するための手段】
【０００６】
上述した課題を解決するために、筺体内部を仕切板で送風機室と機械室に区切り、送風機室には背面側に上下に２段積みした上熱交換器と下熱交換器と、前面側に送風ファンと、同送風ファンを駆動するモータと、同モータを保持するモータ支持体とを備えた空気調和機の室外機において、
前記モータ支持体は、モータを取り付けるモータ取付台と、モータ取付台の上端を前記熱交換器の上端に固定する上部保持部と、モータ取付台の下端を筺体の底板に固定する下部保持部からなり、
前記モータ取付台は、モータ取付口と複数の通風用の開口部を備えたモータ取付面と、モータ取付面の周囲を熱交換器側に折り曲げたフランジ部からなり、
前記開口部の１つの縁部に、両熱交換器側に突出した熱交換器支持部を備え、同熱交換器支持部は、先端が折れ曲り上下に２段積みした上熱交換器と下熱交換器の当接部を背面側に押圧する押圧部を備える。
【０００７】
前記押圧部は、縦に分割され、一部が水平状に折り曲げられて、前記上熱交換器と前記下熱交換器の当接部の間に差し込まれる。
【０００８】
下部の前記開口部の下端縁部に、下熱交換器側に突出した下熱交換器支持部を備え、前記下熱交換器支持部は、先端が上方へ折れ曲り下熱交換器を押圧する下押圧部を備える。
【０００９】
前記モータ取付台は鋼板でなり、前記開口部の一部をＸ字状やＹ字状の筋交いに残して成形する。
【００１０】
前記熱交換器支持部は、Ｙ字状の上にあたる開口部の上端縁部に設ける。
【発明の効果】
【００１１】
上記のように構成した本発明の空気調和機の室外機は、モータ取付台に熱交換器支持部を備え、同熱交換器支持部の先端に上下に２段積みした上熱交換器と下熱交換器の当接部を背面側に押圧する押圧部を備えることで、移送時に上熱交換器と下熱交換器の位置ずれを防ぐ効果がある。
特に、押圧部の一部を上熱交換器と下熱交換器の当接部の間に差し込むことで、押圧部が当接部に固定される。
また、下熱交換器を押圧する下押圧部を備えることで、熱交換器の中央部と底面近くの２箇所で熱交換器を押圧することになり、両熱交換器の位置ずれを防ぐとともに、モータ取付台自体も両熱交換器に支持される効果を有し、室外機の筺体の強度も補強される。
さらに、前記開口部の一部は、鋼板をＸ字状やＹ字状の筋交いに残して成形することで、梁形状となり、ねじりの変形に強くなり、強度が増し、熱交換器支持部を、Ｙ字状の上にあたる開口部の上端縁部に設けることで、梁形状により、熱交換器支持部を支える強度が増す。
【図面の簡単な説明】
【００１２】
【図１】本発明による室外機の正面図である。
【図２】本発明による室外機の内部構造を示す図である。
【図３】本発明による室外機の送風機室側の構成を示す図である。
【図４】本発明による室外機の送風機室側の分解図である。
【図５】モータ取付台を折り曲げ加工する前の図である。
【図６】モータ取付台の正面図である。
【図７】モータ取付台を背面側から見た斜視図である。
【図８】図１のＡ−Ａ部分断面図である。
【図９】第２の実施例の図であり、（Ａ）はモータ取付台を背面側から見た要部斜視図であり、（Ｂ）は要部断面図である。
【図１０】従来例による空気調和機の室外機の要部斜視図である。
【発明を実施するための形態】
【００１３】
以下、本発明を実施するための形態を、添付図面に基づいた実施例として詳細に説明する。
【実施例１】
【００１４】
本発明に係る空気調和機の室外機は屋外に設置され、空調室内に設置される少なくとも1台以上の室内機と冷媒配管を介して接続されて冷凍サイクルを構成する。
以下、本発明の実施の形態を、添付図面に基づいて詳細に説明する。図１、図２に示すように、本実施例による空気調和機の室外機１は、略直方体形状の筐体を有している。この筐体の外郭は、主に鋼板を加工して構成され、前面の一方を覆う前面パネル１０と、前面パネル１０の上下２箇所に円形に開口された吹出口１ａと、吹出口１ａを覆うファンガード１１と、一方の側面パネルを兼ねる背面パネル１２と、前面の他の一方を覆う取り外し可能なサービスパネル１３と、複数の四方形状の孔からなる吸込口１ｂを有する左側面パネル１４と、底板１５と、天板１６と、配管カバー１７とから構成されている。
底板１５は、前面パネル１０および背面パネル１２の一部と、配管カバー１７の下端とを、底板１５の周囲のフランジ１５ａとのネジ止めによって組み付け、天板１６は、前面パネル１０および背面パネル１２の上端を塞いで、ネジ止めによって組み付けている。
【００１５】
尚、以下の説明では、室外機１の筐体において、図１で前面パネル１０が配置された方を前面、その反対面を背面とし、前面パネル１０を正視したときにサービスパネル１３が配置された方を右側面、その反対面を左側面として説明を進める。
【００１６】
室外機１の筐体内部は、仕切板１８によって機械室２と送風機室３とに区画されている。機械室２は、アキュムレータ２０や、図示しない圧縮機や四方弁および配管２１が収容されている。機械室２の上部には電装品箱２３が配置され、仕切板１８に固定されている。
【００１７】
送風機室３は、図１乃至図３に示すように、背面側に熱交換器４と、吹出口１ａに対向した前面側にに後述するモータに軸支された２個の送風ファン３０とが設けられている。
【００１８】
熱交換器４は、密接して並列したアルミ材による薄板のフィン４ａと、同フィン４ａに直交するように蛇行状に配設された伝熱管４ｂとからなる上熱交換器４０と下熱交換器４１が上下２段に底板１５上に載置され、上面から見て略Ｌ字形状をなし、室外機１の左側面から背面に沿うように配置されている。
上熱交換器４０と下熱交換器４１の左端部には、それぞれ左側板４０ａ、４１ａが取り付けられ、この左側板４０ａ、４１ａは連結板４２によって、左側面パネル１４に固定されている。
また、上熱交換器４０と下熱交換器４１の右端部には、それぞれ右側板４０ｂ、４１ｂが取り付けられ、この右側板４０ｂ、４１ｂは連結板４３によって一体化されている。
さらに、下熱交換器４１の左側板４１ａ、右側板４１ｂ下端が、底板１５に固定されている。これにより上熱交換器４０と下熱交換器４１は、その両端が、室外機１の筺体に固定された状態にある。
【００１９】
尚、室外機１の背面側は、図２に示すように、背面パネル１２の側端と左側面パネル１４の側端との間に熱交換器４が露出して、送風ファン３０により送風機室３に外気を取り入れるための背面吸込口１ｃとなり、背面吸込口１ｃには保護部材１９が設けられている。
【００２０】
２個ある送風ファン３０は、図４に示すように、それぞれモータ３１に軸支され、モータ３１が室外機１の筺体に固定されたモータ支持体５に取り付けられることにより、上下に並んで送風機室３内に配置される。
【００２１】
上記の構成により、空気調和機の室外機１は、例えば冷房運転時に、熱交換器４の伝熱管４ｂの内部を流通する高温・高圧の冷媒の熱を、伝熱管４ｂに圧接されているフィン４ａに伝熱するとともに、この伝熱されたフィン３ａが、送風ファン３０により背面吸込口１ｃから吸い込まれた空気によって冷却されることで熱交換されるものである。
【００２２】
モータ支持体５は、図４に示すように、モータ３１を固定するモータ取付台６と、モータ取付台６の上端を係止して、上熱交換器４０の上端に掛け止めされる上部支持具７と、モータ取付板６の下端を係止して、底板１５上に固定される下部支持具８とからなる。
尚ここでは、モータ支持体５は、モータ取付台６と上部支持具７と下部支持具８との別々の部品構成で説明するが、モータ取付台に上部支持部と下部支持部を備えた一体の構成、または、モータ取付台に上部支持部と下部支持部のいずれかを一体にした構成でも同じ効果を有する。
【００２３】
上部支持具７は、水平状の上面部７０と、この上面部７０の四側から垂下されたフランジ部７１からなり、上面部７０の一部を切り抜き、下方に折り曲げた係止爪７２が、後述するモータ取付台６のフランジ部６１の係止孔６１ａに係止して、その後フランジ部７１とフランジ部６１の側面をネジ止めすることで、モータ取付台６に固定される。
フランジ部７１の側面部は一部が切欠され、上熱交換器４０の上端を挿通する切欠部７３となり、上熱交換器４０に掛け止めされる。
フランジ部７１の前面部７１ａは前面パネル１０の上端とネジ止めされ、さらに前面パネル１０が天板１６とネジ止めされ、フランジ部７１の後面部７１ｂは天板１６とネジ止めされることで、モータ支持体５の上部と上熱交換器４０は天板１６に矜持されることになり、位置ずれが起こることがなくなる。
【００２４】
下部支持具８は、水平状の底面８０と、この底面８０の両側面から立ちあがったフランジ部８１と、このフランジ部８１と底面８０の折曲部に設けた係止孔８２とからなり、係止孔８２に後述するモータ取付台のフランジ部６１の下端から突出する係止爪６１ｂを係止し、その後フランジ部８１とフランジ部６１の側面をネジ止めすることで、モータ取付台６を固定し、底面８１と底板１５をネジ止めすることで、モータ支持体５が、室外機１の筺体に固定される。
【００２５】
モータ取付台６は、図５に示すように、１枚の鋼板から切抜き折り曲げ加工をして成形される。加工されたモータ取付台６は、図４に示すように、熱交換器４と略同じ高さになり、モータ取付面６０と、鋼板の周囲を背面側に折り曲げたフランジ部６１とからなる。フランジ部６１の上面側には前述した上部支持具７の係止爪７２を係止する係止孔６１ａが備えられ、フランジ部６１の両側面下端には前述した下部支持具８の係止孔８２に係止するための係止爪６１ｂが突出状に備えられている。
【００２６】
モータ取付面６０には、図４から図６に示すように、モータ３１に抜き形状を合わせたモータ取付口６２が上下に２箇所設けられる。
尚、モータ３１は、軸３１ａの対面側の底部をモータ取付口６２に嵌め込み、モータ３１の側面複数個所に設けた取付部３１ｂとモータ取付口６２の周囲にあるネジ孔６２ａとをネジ止めすることで固定される。
その後に、固定されたモータ３１の軸３１ａに送風ファン３０を軸支することで、送風ファン３０は室外機１に設置され、モータ３１により回転可能となる。
【００２７】
モータ取付台６は、熱交換器４と送風ファン３０の間に配置されることで、通風の抵抗となるため、モータ取付面６０の鋼板が占める面積を少なくした方が良い。一方、鋼板が占める面積を少なくすると送風ファン３０とモータ３１を支持する強度が損なわれ、特に送風ファン３０の回転時の振動による、ねじれ方向に弱くなる虞がある。
そこで、モータ取付面６０には、図５、図６に示すように、モータ取付口６２の他に、通風のために複数箇所の開口部６３を備える。開口部６３は、鋼板から開口部の周囲に設ける開口部フランジ６３１となる部分を残して切り抜き、図５の一点鎖線で示す部分を背面側に折り曲げて成形される。開口部６３は、モータ取付台６の上部側に四角形状の抜き孔による上部四角形開口部６３aと、モータ取付口６２、６２の間で、Ｘ字状の筋交いに鋼板を残すことで形成された三角形の抜き孔による三角形開口部６３ｂと、三角形開口部６３ｂの下で四角形の抜き孔にＹ字状に筋交いに鋼板を残すことで形成されたＹ字状の上にあたるベース形開口部６３ｃと、Ｙ字状の下にあたる台形開口部６３ｄと、モータ取付台６の下部側の下部四角形開口部６３ｅがある。
複数箇所の開口部６３により通風の抵抗となる面を少なくするとともに、鋼板を筋交いに残すことで梁構造とし、ねじりの変形に強くなり、強度が向上するものとなる。
【００２８】
図４から図８に示すように、ベース形開口部６３ｃの上端縁部には熱交換器支持部６４が、また、下部四角形開口部６３ｅの下端縁部には下熱交換器支持部６５が設けられている。
熱交換器支持部６４は、ベース形開口部６３ｃの抜き孔となる部分を利用して一体に切り抜かれ、ベース形開口部６３ｃの上端から背面側に突出し、先端が下方に折れ曲がり、折れ曲がった部分が熱交換器４の押圧部６４ａとなる。押圧部６４ａは、上熱交換器４０と下熱交換器４１の当接部４４に位置し、上熱交換器４０と下熱交換器４１が移送時などで位置ずれが生じないように、上熱交換器４０と下熱交換器４１の両方を背面側に押圧する役割を担っている。
【００２９】
下熱交換器支持部６５は、下部四角形開口部６３ｅの抜き孔となる部分を利用して一体に切り抜かれ、下部四角形開口部６３ｅの下端から背面側に突出し、先端が上方に折れ曲がり、折れ曲がった部分が下熱交換器４１の押圧部６５ａとなる。押圧部６５ａは、下熱交換器４１を背面側に押圧する。
【００３０】
また、熱交換器が２段積みとなることで、モータ取付台６自体が上下方向に長い形状となり、さらに２個の送風ファン３０とモータ３１を支持するモータ取付台６にとって、底面近くと中央部の２箇所に配置された上熱交換器支持部６４と下熱交換器支持部６５は、上熱交換器４０と下熱交換器４１を押圧して、位置ずれを防ぐとともに、モータ取付台６自体も熱交換器４に支持される効果を有し、モータの回転時にも振動を抑えることができ、室外機１の筺体の強度も補強される。
【実施例２】
【００３１】
図９は、第二の実施例を示す。なお、実施例１と同様の部分は同じ符号を付与し、実施例１と異なる部分を説明する。
上熱交換器支持部６４の押圧部６４１は、縦に３等分され、両端部は、実施例１と同様に、上熱交換器４０と下熱交換器４１の当接部４４に位置し、中央部は先端が水平状になるまで折り曲げられる。折り曲げて水平になった部分が挿入部６４１ａとなり、上熱交換器４０と下熱交換器４１の当接部４４の間に差し込まれる。
挿入部６４１ａが上熱交換器４０と下熱交換器４１に挟まれ固定されることで、押圧部６４１が強固に上熱交換器４０と下熱交換器４１を背面側に押圧することができ、実施例１以上の、上熱交換器４０と下熱交換器４１の位置ずれを防ぐことができ、室外機１の筺体の強度もより補強される。
尚、押圧部６４１は、縦に２分割されても良く、その場合は、分割された一方が挿入部６４１ａとなり、上熱交換器４０と下熱交換器４１の当接部４４の間に差し込まれる。
【００３２】
以上説明したように、本発明の構成によれば、上下に２段積みした上熱交換器と下熱交換器の当接部を背面側に押圧する押圧部を備えることで、移送時に加わる外力による上熱交換器と下熱交換器の位置ずれを防ぐ効果があり、また、下熱交換器を背面側に押圧する下押圧部を備えることで、熱交換器の中央部と底面近くの２箇所で熱交換器を押圧することになり、両熱交換器の位置ずれを防ぐとともに、モータ取付台自体も両熱交換器に支持される効果を有し、室外機の筺体の強度も補強される。
さらに、前記開口部の一部は、鋼板をＸ字状やＹ字状の筋交いに残して成形することで、梁形状となり、ねじりの変形に強くなり、強度が増すものとなる。
【符号の説明】
【００３３】
１    室外機
１５    底板
１６    天板
３０    送風ファン
３１    モータ
４    熱交換器
４０    上熱交換器
４１    下熱交換器
５    モータ支持体
６    モータ取付台
６０    モータ取付面
６１    フランジ部
６３    開口部
６４    上熱交換器保持部
６４ａ  押圧部
６５    下熱交換器保持部
６５ａ  押圧部
７    上部保持具
８    下部保持具
【図１】
0005861310.tif 000002
【図２】
0005861310.tif 000003
【図３】
0005861310.tif 000004
【図４】
0005861310.tif 000005
【図５】
0005861310.tif 000006
【図６】
0005861310.tif 000007
【図７】
0005861310.tif 000008
【図８】
0005861310.tif 000009
【図９】
0005861310.tif 000010
【図１０】
0005861310.tif 000011